(57)【要約】      （修正有）【課題】ボディの外面に曲面を設けることができる雄コネクタ雄コネクタを提供する。【解決手段】雄コネクタは、雄ボディ１１０ａと、雄導体１２０ａとを備えている。雄ボディ１１０ａは、曲面状の曲面１１１ａ１と、雄ボディ１１０ａの曲面１１１ａ１より内側部分に設けられた収容空間１１２ａとを有している。雄導体１２０ａは収容空間１１２ａ内に配置されている。雄導体１２０ａは機能部を有している。機能部が、雄通信アンテナ、雄送電アンテナ及び雄受電アンテナの何れか一つである。【選択図】図１Ｂ
2015216057.tif 000002
【特許請求の範囲】
【請求項１】
雄ボディと、
雄導体とを備えており、
前記雄ボディは、曲面を有する外面と、
当該雄ボディの前記曲面より内側部分に設けられた収容空間とを有しており、
前記雄導体は前記収容空間内に配置されており、当該雄導体は機能部を有しており、
前記機能部が、雄通信アンテナ、雄送電アンテナ及び雄受電アンテナの何れか一つである雄コネクタ。
【請求項２】
請求項１記載の雄コネクタにおいて、
前記雄ボディは、当該雄ボディの前記曲面に沿って湾曲した曲面状の前記収容空間の壁面を更に有しており、前記収容空間の前記壁面は絶縁性を有しており、
前記雄導体は前記収容空間の前記壁面上に設けられており、
前記雄導体の前記機能部が前記曲面に沿って湾曲している雄コネクタ。
【請求項３】
請求項１記載の雄コネクタにおいて、
前記収容空間内に配置されており且つ前記雄ボディの前記曲面に沿って湾曲した雄絶縁体を更に備えており、
前記雄導体は前記雄絶縁体上に設けられており、
前記雄導体の前記機能部が前記曲面に沿って湾曲している雄コネクタ。
【請求項４】
請求項３記載の雄コネクタにおいて、
前記雄ボディは、当該雄ボディの前記曲面に沿って湾曲した前記収容空間の壁面を更に有しており、
前記雄絶縁体は前記収容空間の前記壁面上に固着されている雄コネクタ。
【請求項５】
請求項２〜４の何れかに記載の雄コネクタにおいて、
前記雄ボディの前記外面の前記曲面は円筒状であり、
前記雄ボディの前記収容空間の前記壁面は、前記雄ボディの前記曲面に対して同心円状に配置された円筒状である雄コネクタ。
【請求項６】
請求項１〜５の何れかに記載の雄コネクタにおいて、
雄回路を更に備えており、
前記雄導体は、前記雄回路に電気的に接続される接続部を更に有している雄コネクタ。
【請求項７】
請求項６記載の雄コネクタにおいて、
前記接続部は、前記雄ボディの前記曲面に沿って湾曲している雄コネクタ。
【請求項８】
請求項６〜７の何れかに記載の雄コネクタにおいて、
前記雄ボディの前記収容空間内に配置されており且つ前記雄回路又は前記雄導体に電気的に接続された雄基板と、
前記雄基板上に設けられた雄制御部とを更に備えている雄コネクタ。
【請求項９】
雌ボディと、
雌導体とを備えており、
前記雌ボディは、接続孔と、
曲面を有する前記接続孔の内壁面と、
当該雌ボディ内の前記接続孔の前記曲面より外側部分に設けられた収容空間とを有しており、
前記雌導体は前記収容空間内に配置されており、当該雌導体は機能部を有しており、
前記機能部が、雌通信アンテナ、雌受電アンテナ及び雌送電アンテナの何れか一つである雌コネクタ。
【請求項１０】
請求項９記載の雌コネクタにおいて、
前記雌ボディは、前記接続孔の前記曲面に沿って湾曲した曲面状の前記収容空間の壁面を更に有しており、前記収容空間の前記壁面は絶縁性を有しており、
前記雌導体は前記収容空間の前記壁面上に設けられており、
前記雌導体の前記機能部は、前記接続孔の前記曲面に沿って湾曲している雌コネクタ。
【請求項１１】
請求項９記載の雌コネクタにおいて、
前記収容空間内に配置されており且つ前記接続孔の前記曲面に沿って湾曲した雌絶縁体を更に備えており、
前記雌導体は前記雌絶縁体上に設けられている雌コネクタ。
【請求項１２】
請求項１１記載の雌コネクタにおいて、
前記雌ボディは、前記接続孔の前記曲面に沿って湾曲した前記収容空間の壁面を更に有しており、
前記雌絶縁体は前記収容空間の前記壁面上に固着されている雌コネクタ。
【請求項１３】
請求項１０〜１２の何れかに記載の雌コネクタにおいて、
前記接続孔の前記内壁面の前記曲面は円筒状であり、
前記収容空間の前記壁面は、前記接続孔の前記曲面に対して同心円状に配置された円筒状である雌コネクタ。
【請求項１４】
請求項９〜１３の何れかに記載の雌コネクタにおいて、
雌回路を更に備えており、
前記雌導体は、前記雌回路に電気的に接続される接続部を更に有している雌コネクタ。
【請求項１５】
請求項１４記載の雌コネクタにおいて、
前記接続部は、前記接続孔の前記曲面に沿って湾曲している雌コネクタ。
【請求項１６】
請求項１４〜１５の何れかに記載の雌コネクタにおいて、
前記雌ボディの前記収容空間内に配置されており且つ前記雌回路又は前記雌導体に電気的に接続された雌基板と、
前記雌基板上に設けられた雌制御部とを更に備えている雌コネクタ。
【発明の詳細な説明】
【技術分野】
【０００１】
本発明は雄コネクタ及び雌コネクタに関する。
【背景技術】
【０００２】
下記特許文献１には、非接触で信号を伝送可能な雄コネクタ及び雌コネクタが記載されている。雄コネクタは、雄ボディと、雄コイル要素とを備えている。雄コイル要素は、射出成形される雄ボディ内に埋め込まれている。雌コネクタは、接続孔を有する雌ボディと、雌コイル要素とを備えている。雌コネクタの雌ボディの接続孔に雄コネクタの先端部が嵌合可能となっている。雌コイル要素は、射出成形される雌ボディ内に埋め込まれている。
【先行技術文献】
【特許文献】
【０００３】
【特許文献１】特開２００２−２４６１２２号公報
【発明の概要】
【発明が解決しようとする課題】
【０００４】
ところで、上記雄コネクタの雄ボディの外面の一部又は全部を曲面状とし、且つ上記雌コネクタの接続孔の内壁面の一部及び全部を曲面状とすることが要望されている。しかし、上記要望に応えることが困難である。その理由は以下の通りである。上記雄コネクタの雄ボディの外面のうちの雄コイル要素が近傍に位置する外面は、雄コイル要素が実装されるリジット基板の形状に依存してフラットにされている。上記雌コネクタの接続孔の内壁面のうちの雌コイル要素の近傍に位置する内壁面も雌コイル要素が実装されるリジット基板の形状に依存してフラットにされている。
【０００５】
本発明は、上記事情に鑑みて創案されたものであって、その目的とするところは、ボディの外面に曲面を設けることができる雄コネクタ及び接続孔の内壁面に曲面を設けることができる雌コネクタを提供することにある。
【課題を解決するための手段】
【０００６】
上記課題を解決するために、本発明の雄コネクタは、雄ボディと、雄導体とを備えている。前記雄ボディは、曲面を有する外面と、当該雄ボディの前記曲面より内側部分に設けられた収容空間とを有している。前記雄導体は前記収容空間内に配置されている。当該雄導体は機能部を有している。前記機能部が、雄通信アンテナ、雄送電アンテナ及び雄受電アンテナの何れか一つである。
【０００７】
このような態様の雄コネクタによる場合、雄導体が雄ボディの収容空間内に配置されているため、雄ボディの外面に曲面を設けることができる。
【０００８】
前記雄ボディは、当該雄ボディの前記曲面に沿って湾曲した曲面状の前記収容空間の壁面を更に有した構成とすることが可能である。前記収容空間の前記壁面は絶縁性を有する構成とすることが可能である。前記雄導体は前記収容空間の前記壁面上に設けられた構成とすることが可能である。前記雄導体の前記機能部が前記曲面に沿って湾曲した構成とすることが可能である。
【０００９】
このような態様の雄コネクタによる場合、雄導体の機能部を雄ボディの曲面に沿って容易に湾曲させることができる。収容空間の壁面が雄ボディの曲面に沿って湾曲した曲面状であるので、雄導体を収容空間の壁面に設けるだけで、機能部を雄ボディの曲面に沿って湾曲させることができるからである。
【００１０】
又は、上記雄コネクタは、雄絶縁体を更に備えた構成とすることが可能である。雄絶縁体は、前記収容空間内に配置されており且つ前記雄ボディの前記曲面に沿って湾曲した構成とすることが可能である。前記雄導体は前記雄絶縁体上に設けられた構成とすることが可能である。前記雄導体の前記機能部が前記曲面に沿って湾曲した構成とすることが可能である。
【００１１】
このような態様の雄コネクタによる場合、雄導体の機能部を雄ボディの曲面に沿って容易に湾曲させることができる。雄絶縁体が雄ボディの曲面に沿って湾曲しているので、雄導体を雄絶縁体上に設けるだけで、機能部を雄ボディの曲面に沿って湾曲させることができるからである。
【００１２】
前記雄ボディは、当該雄ボディの前記曲面に沿って湾曲した前記収容空間の壁面を更に有した構成とすることが可能である。前記雄絶縁体は前記収容空間の前記壁面上に固着された構成とすることが可能である。
【００１３】
前記雄ボディの前記外面の前記曲面は円筒状である構成とすることが可能である。前記収容空間の前記壁面は、前記雄ボディの前記曲面に対して同心円状に配置された円筒状とすることが可能である。
【００１４】
上記何れかの態様の雄コネクタは、雄回路を更に備えた構成とすることが可能である。前記雄導体は、前記雄回路に電気的に接続される接続部を更に有する構成とすることが可能である。前記接続部は、前記雄ボディの前記曲面に沿って湾曲した構成とすることが可能である。
【００１５】
上記雄コネクタは、前記雄ボディの前記収容空間内に配置されており且つ前記雄回路又は前記雄導体に電気的に接続された雄基板と、前記雄基板上に設けられた雄制御部とを更に備えた構成とすることが可能である。
【００１６】
本発明の雌コネクタは、雌ボディと、雌導体とを備えている。前記雌ボディは、接続孔と、曲面を有する前記接続孔の内壁面と、当該雌ボディ内の前記接続孔の前記曲面より外側部分に設けられた収容空間とを有している。前記雌導体は前記収容空間内に配置されている。当該雌導体は機能部を有している。前記機能部が、雌通信アンテナ、雌受電アンテナ及び雌送電アンテナの何れか一つである。
【００１７】
このような態様の雌コネクタによる場合、雌導体が雌ボディの収容空間内に配置されているため、雌ボディの接続孔の内壁面に曲面を設けることができる。
【００１８】
前記雌ボディは、前記接続孔の前記曲面に沿って湾曲した曲面状の前記収容空間の壁面を更に有した構成とすることが可能である。前記収容空間の前記壁面は絶縁性を有した構成とすることが可能である。前記雌導体は前記収容空間の前記壁面上に設けられた構成とすることが可能である。前記雌導体の前記機能部は、前記接続孔の前記曲面に沿って湾曲した構成とすることが可能である。
【００１９】
このような態様の雌コネクタによる場合、雌導体の機能部を接続孔の曲面に沿って容易に湾曲させることができる。収容空間の壁面が接続孔の曲面に沿って湾曲した曲面状であるので、雌導体を収容空間の壁面に設けるだけで、機能部を接続孔の曲面に沿って湾曲させることができるからである。
【００２０】
又は、上記雌コネクタは、前記収容空間内に配置されており且つ前記接続孔の前記曲面に沿って湾曲した雌絶縁体を更に備えた構成とすることが可能である。前記雌導体は前記雌絶縁体上に設けられた構成とすることが可能である。前記雌導体の前記機能部は、前記接続孔の前記曲面に沿って湾曲した構成とすることが可能である。
【００２１】
このような態様の雌コネクタによる場合、雌導体の機能部を接続孔の内周面に沿って容易に湾曲させることができる。雌絶縁体が接続孔の曲面に沿って湾曲しているので、雌導体を雌絶縁体上に設けるだけで、機能部を接続孔の曲面に沿って湾曲させることができるからである。
【００２２】
前記雌ボディは、前記接続孔の前記曲面に沿って湾曲した前記収容空間の壁面を更に有した構成とすることが可能である。前記雌絶縁体は前記収容空間の前記壁面上に固着された構成とすることが可能である。
【００２３】
前記接続孔の前記内壁面の前記曲面は円筒状である構成とすることが可能である。前記収容空間の前記壁面は、前記接続孔の前記曲面に対して同心円状に配置された円筒状とすることが可能である。
【００２４】
上記した何れかの態様の雌コネクタは雌回路を更に備えた構成とすることが可能である。前記雌導体は、前記雌回路に電気的に接続される接続部を更に有した構成とすることが可能である。前記接続部は、前記接続孔の前記曲面に沿って湾曲した構成とすることが可能である。
【００２５】
前記雌ボディの前記収容空間内に配置されており且つ前記雌回路又は前記雌導体に電気的に接続された雌基板と、前記雌基板上に設けられた雌制御部とを更に備えた構成とすることが可能である。
【図面の簡単な説明】
【００２６】
【図１Ａ】本発明の実施例１に係る雄コネクタの正面、平面及び右側面から表した概略的斜視図である。
【図１Ｂ】前記雄コネクタの図１Ａ中の１Ｂ−１Ｂ断面図である。
【図２Ａ】前記雄コネクタの図１Ｂ中の２Ａ−２Ａ部分断面図であって、当該雄コネクタの雄導体の一例（雄通信アンテナ）を示す図である。
【図２Ｂ】前記雄コネクタの図１Ｂ中の２Ａ−２Ａ部分断面図であって、当該雄コネクタの雄導体の別の一例（雄送電アンテナ又は雄受電アンテナ）を示す図である。
【図３Ａ】本発明の実施例１に係る雌コネクタの正面、平面及び右側面から表した概略的斜視図である。
【図３Ｂ】前記雌コネクタの図３Ａ中の３Ｂ−３Ｂ断面図である。
【図４Ａ】前記雌コネクタの図３Ｂ中の４Ａ−４Ａ部分断面図であって、当該雄コネクタの雌導体の一例（雌通信アンテナ）を示す図である。
【図４Ｂ】前記雌コネクタの図３Ｂ中の４Ａ−４Ａ部分断面図であって、当該雄コネクタの雌導体の別の一例（雌受電アンテナ又は雌送電アンテナ）を示す図である。
【図５Ａ】前記雄コネクタ及び前記雌コネクタの斜視図であって、前記雄コネクタと前記雌コネクタが接続された状態を示す図である。
【図５Ｂ】前記雄コネクタ及び前記雌コネクタの図５Ａ中の５Ｂ−５Ｂ断面図である。
【図６】本発明の実施例２に係る雄コネクタ及び雌コネクタの図５Ｂに対応する断面図であって、前記雄コネクタと前記雌コネクタが接続された状態を示す図である。
【発明を実施するための形態】
【００２７】
以下、本発明の実施例１及び２について説明する。
【実施例１】
【００２８】
以下、本発明の実施例１に係る雄コネクタ１００ａについて図１Ａ〜図２Ｂを参照しつつ説明する。雄コネクタ１００ａは、雄ボディ１１０ａと、複数の雄導体１２０ａと、複数の雄回路１３０ａと、雄基板１４０ａと、複数の雄制御部１５０ａと、ケーブル１６０ａとを備えている。以下、雄コネクタ１００ａの各構成要素について詳しく説明する。
【００２９】
雄ボディ１１０ａは、図１Ａに最も良く示されるように、略円柱状の絶縁樹脂である。雄ボディ１１０ａは、外面１１１ａと、収容空間１１２ａと、壁面１１３ａとを有している。雄ボディ１１０ａの外面１１１ａは、雄ボディ１１０ａの円筒状の外周面である曲面１１１ａ１を有している。曲面１１１ａ１には、図示しないキー溝又は凸状のキー部が設けられていても良い。収容空間１１２ａは、図１Ｂに最も良く示されるように、雄ボディ１１０ａの内部（曲面１１１ａ１より内側部分）に設けられた円柱状の密閉空間であって、曲面１１１ａ１に対して同心円状に配置されている。収容空間１１２ａの壁面１１３ａは、円筒状の曲面であって、曲面１１１ａ１に対して同心円状に配置されている。壁面１１３ａは、曲面１１１ａ１に沿って湾曲している。
【００３０】
各雄導体１２０ａは、図１Ｂに示されるように、収容空間１１２ａの壁面１１３ａ上に形成された導電ラインであって、収容空間１１２ａ内に配置されている。雄導体１２０ａは、例えば、レーザーダイレクトストラクチャリング（ＬＤＳ（登録商標））技術によって壁面１１３ａ上にパターン形成されている。具体的には、ＬＤＳ添加剤を含む壁面１１３ａにレーザーを照射し、レーザーを照射した部分のみを活性化させ、該活性化させた部分に金属を適用することによってめっき層（雄導体１２０ａ）が形成される。導電ラインは、周知の印刷技術を用いて壁面１１３ａ上に形成することが可能である。なお、図１Ｂでは、説明の便宜上、雄導体１２０ａの厚みを誇張して表している。
【００３１】
各雄導体１２０ａは、機能部１２１ａと、接続部１２２ａとを有している。機能部１２１ａは、無線で信号通信可能な雄通信アンテナ(図２Ａ参照)、無線で電力を送電可能な雄送電アンテナ(図２Ｂ参照)及び無線で電力を受電可能な雄受電アンテナ(図２Ｂ参照)の何れか一つである。機能部１２１ａは、壁面１１３ａに沿って湾曲している。上記の通り、壁面１１３ａは雄ボディ１１０ａの曲面１１１ａ１に沿って湾曲しているため、機能部１２１ａも曲面１１１ａ１に沿って湾曲している。これにより、機能部１２１ａから曲面１１１ａ１までの距離が均一になる。接続部１２２ａは、壁面１１３ａに沿って湾曲していても良いし(図２Ｂ参照)、湾曲せずに延びていても良い(図２Ａ参照)。
【００３２】
各雄回路１３０ａは、図２Ａに示すように収容空間１１２ａの壁面１１３ａ上に設けられていても良いし、図示しないが雄基板１４０ａ上に設けられても良い。各雄回路１３０ａも、収容空間１１２ａ内に配置されている。各雄回路１３０ａは、雄導体１２０ａの接続部１２２ａに電気的に接続されている。雄導体１２０ａの機能部１２１ａが雄通信アンテナである場合、雄回路１３０ａは機能部１２１ａに信号を送信又は受信させるためのＩＣ（通信回路）である。雄導体１２０ａの機能部１２１ａが雄送電アンテナである場合、雄回路１３０ａは図外の外部電源から供給される電力を、電磁誘導方式、電磁界共鳴方式、電界結合方式又は電波方式で送電するのに適した電力（例えば、高周波電力）に変換して機能部１２１ａに供給する送電ＩＣ（送電回路）である。雄導体１２０ａの機能部１２１ａが雄受電アンテナである場合、雄回路１３０ａは機能部１２１ａで受けたエネルギー（電磁波等）を電力に変換する受電ＩＣ（受電回路）である。
【００３３】
雄基板１４０ａは、リジットなプリント基板、フレキシブルプリント基板又はＰＥＴ基板等であって、収容空間１１２ａ内に配置されている。雄基板１４０ａは、図示しない接続部（例えば、リード線、ピン又はＦＰＣ等）によって雄導体１２０ａの接続部１２２ａ又は雄回路１３０ａに電気的に接続されている。
【００３４】
雄制御部１５０ａは、雄基板１４０ａ上に各々実装されている。雄制御部１５０ａは接続部及び雄基板１４０ａを介して対応する雄回路１３０ａに接続されている。雄基板１４０ａは対応する雄回路１３０ａを制御するためのマイコンである。なお、一つの雄制御部１５０ａで複数の雄回路１３０ａを制御することも可能である。
【００３５】
ケーブル１６０ａは、雄ボディ１１０ａから導出している。ケーブル１６０ａは雄基板１４０ａに接続されている。
【００３６】
以下、本発明の実施例１に係る雌コネクタ１００ｂについて図３Ａ〜図４Ｂを参照しつつ説明する。雌コネクタ１００ｂは、雌ボディ１１０ｂと、複数の雌導体１２０ｂと、複数の雌回路１３０ｂと、複数の雌基板１４０ｂと、複数の雌制御部１５０ｂとを備えている。以下、雌コネクタ１００ｂの各構成要素について詳しく説明する。
【００３７】
雌ボディ１１０ｂは絶縁樹脂で構成されている。雌ボディ１１０ｂは、図３Ａ及び図３Ｂに示されるように、接続孔１１１ｂと、接続孔１１１ｂの内壁面１１２ｂと、収容空間１１３ｂと、壁面１１４ｂとを有している。接続孔１１１ｂは、雌ボディ１１０ｂに設けられた円柱状の孔である。接続孔１１１ｂの径は、雄コネクタ１００ａの外径に対応している。すなわち、接続孔１１１ｂに雄コネクタ１００ａが挿脱可能となっている。接続孔１１１ｂの内壁面１１２ｂは、円筒状の曲面１１２ｂ１を有している。曲面１１２ｂ１には、図示しない凸状のキー部又はキー溝が設けられていても良い。キー部は、雄コネクタ１００ａの上記キー溝に対応した形状である。キー溝は、雄コネクタ１００ａの上記キー部に対応した形状である。収容空間１１３ｂは、雌ボディ１１０ｂ内の接続孔１１１ｂの曲面１１２ｂ１よりも外側部分に設けられた円筒状の密閉空間であって、曲面１１２ｂ１に対して同心円状に配置されている。収容空間１１３ｂの壁面１１４ｂは円筒状の曲面であって、曲面１１２ｂ１に対して同心円状に配置されている。すなわち、壁面１１４ｂは、接続孔１１１ｂの曲面１１２ｂ１に沿って湾曲している。
【００３８】
各雌導体１２０ｂは、図３Ｂに示されるように、収容空間１１３ｂの壁面１１４ｂ上に形成された導電ラインであって、収容空間１１３ｂ内に配置されている。雌導体１２０ｂは、例えば、レーザーダイレクトストラクチャリング（ＬＤＳ）技術によって壁面１１４ｂ上に形成されている。具体的には、ＬＤＳ添加剤を含む壁面１１４ｂにレーザーを照射し、レーザーを照射した部分のみを活性化させ、該活性化させた部分に金属を適用することによってめっき層（雌導体１２０ｂ）が形成される。導電ラインは、周知の印刷技術を用いて壁面１１４ｂ上に形成することが可能である。なお、図３Ｂでは、説明の便宜上、雌導体１２０ｂの厚みを誇張して表している。
【００３９】
各雌導体１２０ｂは、機能部１２１ｂと、接続部１２２ｂとを有している。機能部１２１ｂは、無線で信号通信可能な雌通信アンテナ（図４Ａ参照）、無線で電力を受電可能な雌受電アンテナ（図４Ｂ参照）及び無線で電力を送電可能な雌送電アンテナ（図４Ｂ参照）の何れか一つである。機能部１２１ｂは、収容空間１１３ｂの壁面１１４ｂに沿って湾曲している。上記の通り、壁面１１４ｂは接続孔１１１ｂの曲面１１２ｂ１に沿って湾曲しているため、機能部１２１ｂも曲面１１２ｂ１に沿って湾曲している。これにより、機能部１２１ｂから曲面１１２ｂ１までの距離が均一になる。接続部１２２ｂは、壁面１１４ｂに沿って湾曲していても良いし（図４Ｂ参照）、湾曲せずに延びていても良い（図４Ａ参照）。
【００４０】
各雌回路１３０ｂは、図４Ａに示すように収容空間１１３ｂの壁面１１４ｂ上に設けられていても良いし、図示しないが雌基板１４０ｂ上に設けられていても良い。雌回路１３０ｂも、収容空間１１３ｂ内に配置されている。各雌回路１３０ｂは、雌導体１２０ｂの接続部１２２ｂに電気的に接続されている。雌導体１２０ｂの機能部１２１ｂが雌通信アンテナである場合、雌回路１３０ｂは機能部１２１ｂに信号を受信又は送信させるためのＩＣ（通信回路）である。雌導体１２０ｂの機能部１２１ｂが雌受電アンテナである場合、雌回路１３０ｂは機能部１２１ｂで受けたエネルギー（電磁波等）を電力に変換する受電ＩＣ（受電回路）である。雌導体１２０ｂの機能部１２１ｂが雌送電アンテナである場合、雌回路１３０ｂは図外の外部電源から供給される電力を、電磁誘導方式、電磁界共鳴方式、電界結合方式又は電波方式で送電するのに適した電力（例えば、高周波電力）に変換して機能部１２１ｂに供給する送電ＩＣ（送電回路）である。
【００４１】
各雌基板１４０ｂは、リジットなプリント基板、フレキシブルプリント基板又はＰＥＴ基板等であって、収容空間１１３ｂ内に配置されている。雌基板１４０ｂは、図示しない接続部（例えば、リード線、ピン又はＦＰＣ等）によって雌導体１２０ｂの接続部１２２ｂ又は雌回路１３０ｂに電気的に接続されている。
【００４２】
各雌制御部１５０ｂは、雌基板１４０ｂ上に実装されている。雌制御部１５０ｂは接続部及び雌基板１４０ｂを介して対応する雌回路１３０ｂに接続されている。雌基板１４０ｂは対応する雌回路１３０ｂを制御するためのマイコンである。なお、一つの雌制御部１５０ｂで複数の雌回路１３０ｂを制御することも可能である。
【００４３】
以下、雄コネクタ１００ａを雌コネクタ１００ｂに接続する手順について図５Ａ及び図５Ｂを参照しつつ説明する。雄コネクタ１００ａ及び雌コネクタ１００ｂの何れか一方のキー部が、他方のキー溝に挿入される。キー部がキー溝にガイドされ、雄コネクタ１００ａが雌コネクタ１００ｂの接続孔１１１ｂに嵌合する。
【００４４】
雄コネクタ１００ａが雌コネクタ１００ｂの接続孔１１１ｂに嵌合した状態（接続状態）で、雄コネクタ１００ａの雄導体１２０ａの機能部１２１ａと雌コネクタ１００ｂの雌導体１２０ｂの機能部１２１ｂが、接続孔１１１ｂの半径方向に各々並ぶ。これにより、機能部１２１ａと機能部１２１ｂとの間で、無線で信号通信又は無線で電力供給が可能となる。
【００４５】
以上のような雄コネクタ１００ａ及び雌コネクタ１００ｂは以下の技術的特徴を有する。第１に、雄コネクタ１００ａの雄ボディ１１０ａの曲面１１１ａ１を円筒状の曲面とすることができる。なぜなら、雄導体１２０ａが雄ボディ１１０ａの収容空間１１２ａの壁面１１３ａ上に設けられ、収容空間１１２ａ内に配置されているからである。雌コネクタ１００ｂの雌ボディ１１０ｂの接続孔１１１ｂの曲面１１２ｂ１を円柱状の曲面とすることができる。なぜなら、雌導体１２０ｂが雌ボディ１１０ｂの収容空間１１３ｂの壁面１１４ｂ上に設けられ、収容空間１１３ｂ内に配置されているからである。
【００４６】
第２に、雄導体１２０ａの機能部１２１ａを雄ボディ１１０ａの曲面１１１ａ１に沿って容易に湾曲させることができる。雄ボディ１１０ａの収容空間１１２ａの壁面１１３ａが雄ボディ１１０ａの曲面１１１ａ１に沿って湾曲した曲面状であるので、雄導体１２０ａを壁面１１３ａに設けるだけで、機能部１２１ａを雄ボディ１１０ａの曲面１１１ａ１に沿って湾曲させることができるからである。雌導体１２０ｂの機能部１２１ｂを接続孔１１１ｂの曲面１１２ｂ１に沿って容易に湾曲させることができる。雌ボディ１１０ｂの収容空間１１３ｂの壁面１１４ｂが接続孔１１１ｂの曲面１１２ｂ１に沿って湾曲した曲面状であるので、雌導体１２０ｂを収容空間１１３ｂの壁面１１４ｂに設けるだけで、機能部１２１ｂを接続孔１１１ｂの曲面１１２ｂ１に沿って湾曲させることができるからである。
【００４７】
第３に、機能部１２１ａ、１２１ｂの信号伝送効率又は給電効率が向上する。その理由は以下の通りである。雄導体及び雌導体の何れか一方の機能部が平面状であり、他方が曲面状である場合、両機能部の間の距離が外側に行くにしたがって大きくなるため、両機能部の信号伝送効率又は給電効率が低下する。しかし、雄ボディ１１０ａの曲面１１１ａ１が接続孔１１１ｂの曲面１１２ｂ１に沿って湾曲しているので、雄ボディ１１０ａの曲面１１１ａ１に沿って湾曲した雄導体１２０ａの機能部１２１ａから、接続孔１１１ｂの曲面１１２ｂ１に沿って湾曲した雌導体１２０ｂの機能部１２１ｂまでの距離が均一となるため、機能部１２１ａ、１２１ｂの信号伝送効率又は給電効率が向上する。
【実施例２】
【００４８】
以下、本発明の実施例２に係る雄コネクタ１００ａ’について図６を参照しつつ説明する。雄コネクタ１００ａ’は、可撓性を有する雄絶縁体１７０ａを更に備えている点及び雄導体１２０ａが雄ボディ１１０ａの壁面１１３ａ上ではなく、雄絶縁体１７０ａ上に設けられている点で相違する以外、実施例１の雄コネクタ１００ａと略同じ構成である。以下、その相違点について詳しく説明し、重複する記載は省略する。なお、実施例２に係る雄コネクタの符号については、１００ａに’を付して、実施例１の雄コネクタ１００ａと区別する。
【００４９】
雄絶縁体１７０ａはフレキシブルプリント基板である。雄絶縁体１７０ａは、雄ボディ１１０ａの収容空間１１２ａの壁面１１３ａ上に固着され且つ壁面１１３ａに沿って湾曲している。壁面１１３ａは、雄ボディ１１０ａの曲面１１１ａ１に沿って湾曲した曲面であるため、雄絶縁体１７０ａは雄ボディ１１０ａの曲面１１１ａ１に沿って湾曲している。雄導体１２０ａは、雄絶縁体１７０ａ上に設けられた導電ラインである。雄絶縁体１７０ａが前述の通り湾曲しているため、雄導体１２０ａの機能部１２１ａも、雄ボディ１１０ａの曲面１１１ａ１に沿って湾曲している。
【００５０】
以下、本発明の実施例２に係る雌コネクタ１００ｂ’について図６を参照しつつ説明する。雌コネクタ１００ｂ’は、可撓性を有する雌絶縁体１６０ｂを更に備えている点及び雌導体１２０ｂが雌ボディ１１０ｂの壁面１１４ｂ上ではなく、雌絶縁体１６０ｂ上に設けられている点で相違する以外、実施例１の雌コネクタ１００ｂと略同じ構成である。以下、その相違点について詳しく説明し、重複する記載は省略する。なお、実施例２に係る雌コネクタの符号については、１００ｂに’を付して、実施例１の雌コネクタ１００ｂと区別する。
【００５１】
雌絶縁体１６０ｂはフレキシブルプリント基板である。雌絶縁体１６０ｂは、雌ボディ１１０ｂの収容空間１１３ｂの壁面１１４ｂ上に固着され且つ壁面１１４ｂに沿って湾曲している。壁面１１４ｂは、雌ボディ１１０ｂの接続孔１１１ｂの曲面１１２ｂ１に沿って湾曲した曲面であるため、雌絶縁体１６０ｂは、接続孔１１１ｂの曲面１１２ｂ１に沿って湾曲している。雌導体１２０ｂは、雌絶縁体１６０ｂ上に設けられた導電ラインである。雌絶縁体１６０ｂが前述の通り湾曲しているため、雌導体１２０ｂの機能部１２１ｂも、接続孔１１１ｂの曲面１１２ｂ１に沿って湾曲している。
【００５２】
以下、雄コネクタ１００ａ’を雌コネクタ１００ｂ’に接続する手順について図６を参照しつつ説明する。雄コネクタ１００ａ’及び雌コネクタ１００ｂ’の何れか一方のキー部が、他方のキー溝に挿入される。キー部がキー溝にガイドされ、雄コネクタ１００ａ’が雌コネクタ１００ｂ’の接続孔１１１ｂに嵌合する。
【００５３】
雄コネクタ１００ａ’が雌コネクタ１００ｂ’の接続孔１１１ｂに嵌合した状態で、雄コネクタ１００ａ’の雄導体１２０ａの機能部１２１ａと雌コネクタ１００ｂ’の雌導体１２０ｂの機能部１２１ｂが、接続孔１１１ｂの半径方向に各々並ぶ。これにより、機能部１２１ａと機能部１２１ｂとの間で、無線で信号通信又は無線で電力供給が可能となる。
【００５４】
なお、雄コネクタ１００ａ’を雌コネクタ１００ｂの接続孔１１１ｂに嵌合させ、両者を接続させることが可能である。雄コネクタ１００ａを雌コネクタ１００ｂ’の接続孔１１１ｂに嵌合させ、両者を接続させることが可能である。
【００５５】
以上のような雄コネクタ１００ａ’及び雌コネクタ１００ｂ’は以下の技術的特徴を有する。第１に、雄コネクタ１００ａ’の雄ボディ１１０ａの曲面１１１ａ１を円筒状の曲面とすることができる。なぜなら、雄絶縁体１７０ａが雄ボディ１１０ａの収容空間１１２ａの壁面１１３ａに固定され、雄絶縁体１７０ａ及び雄絶縁体１７０ａ上の雄導体１２０ａが収容空間１１２ａ内に配置されているからである。雌コネクタ１００ｂの雌ボディ１１０ｂの接続孔１１１ｂの曲面１１２ｂ１を円筒状の曲面とすることができる。なぜなら、雌絶縁体１６０ｂが雌ボディ１１０ｂの収容空間１１３ｂの壁面１１４ｂに固定され、雌絶縁体１６０ｂ及び雌絶縁体１６０ｂ上の雌導体１２０ｂが収容空間１１３ｂ内に配置されているからである。
【００５６】
第２に、雄導体１２０ａの機能部１２１ａを雄ボディ１１０ａの曲面１１１ａ１に沿って容易に湾曲させることができる。雄ボディ１１０ａの収容空間１１２ａの壁面１１３ａが雄ボディ１１０ａの曲面１１１ａ１に沿って湾曲した曲面状であるので、雄絶縁体１７０ａを壁面１１３ａに固定するだけで、雄絶縁体１７０ａ及び雄導体１２０ａの機能部１２１ａを雄ボディ１１０ａの曲面１１１ａ１に沿って湾曲させることができるからである。雌導体１２０ｂの機能部１２１ｂを接続孔１１１ｂの曲面１１２ｂ１に沿って容易に湾曲させることができる。雌ボディ１１０ｂの収容空間１１３ｂの壁面１１４ｂが接続孔１１１ｂの曲面１１２ｂ１に沿って湾曲した曲面状であるので、雌絶縁体１６０ｂを収容空間１１３ｂの壁面１１４ｂに固定するだけで、雌絶縁体１６０ｂ及び雌導体１２０ｂの機能部１２１ｂを接続孔１１１ｂの曲面１１２ｂ１に沿って湾曲させることができるからである。
【００５７】
第３に、機能部１２１ａ、１２１ｂの信号伝送効率又は給電効率が向上する。その理由は以下の通りである。雄導体及び雌導体の何れか一方の機能部が平面状であり、他方が曲面状である場合、両機能部の間の距離が外側に行くにしたがって大きくなるため、両機能部の信号伝送効率又は給電効率が低下する。しかし、雄ボディ１１０ａの曲面１１１ａ１が接続孔１１１ｂの曲面１１２ｂ１に沿って湾曲しているので、雄ボディ１１０ａの曲面１１１ａ１に沿って湾曲した雄導体１２０ａの機能部１２１ａから、接続孔１１１ｂの曲面１１２ｂ１に沿って湾曲した雌導体１２０ｂの機能部１２１ｂまでの距離が均一となるため、機能部１２１ａ、１２１ｂの信号伝送効率又は給電効率が向上する。
【００５８】
なお、上記した雄コネクタ及び雌コネクタは、上記実施例に限定されるものではなく、特許請求の範囲の記載範囲において任意に設計変更することが可能である。以下、詳しく述べる。
【００５９】
本発明の雄ボディは、曲面を有する外面と、当該雄ボディの前記曲面より内側部分に設けられた収容空間とを有している限り任意に設計変更することが可能である。例えば、雄ボディの外形が円錐台筒状である場合、雄ボディは、円錐台筒状の曲面である外面と、当該雄ボディの前記曲面より内側部分に設けられた収容空間とを有する構成とすることが可能である。又は、雄ボディの外形が砲弾状である場合、雄ボディは、砲弾状の曲面を有する外面と、当該雄ボディの前記曲面より内側部分に設けられた収容空間とを有する構成とすることが可能である。又は、雄ボディの外形が半円筒状又は半円錐台筒状である場合、雄ボディは、半円筒状又は半円錐台筒状の曲面を有する外面と、当該雄ボディの前記曲面より内側部分に設けられた収容空間とを有する構成とすることが可能である。又は、雄ボディは、相対する円弧状の一対の曲面を有する外面と、当該雄ボディの前記曲面より内側部分に設けられた少なくとも一つの収容空間とを有する構成とすることが可能である。又は、雄ボディは、第１ボディと、この第１ボディに連接されており且つ当該第１ボディよりも外形が小さい第２ボディを有する構成である構成とすることが可能である。この場合、第１ボディ及び第２ボディの外面は、上記した何れかの態様の曲面を少なくとも一つ有する構成とすることが可能である。雄ボディの収容空間は、第１ボディ及び／又は第２ボディの曲面より内側部分に設けられた構成とすることが可能である。
【００６０】
本発明の雄ボディの収容空間は、上記した何れかの態様の雄ボディの曲面より内側部分に複数設けられていても良い。外面が複数の曲面を有する場合には、収容空間が各曲面の内側部分に設けられていれば良い。本発明の雄ボディの収容空間は、雄ボディ内の密閉空間に限定されない。
【００６１】
本発明の雄ボディの収容空間の壁面は、省略可能である。本発明の雄ボディの収容空間の壁面は、当該雄ボディの前記曲面に沿って湾曲していなくても良い。また、本発明の雄ボディの収容空間の壁面は、絶縁性を有し且つ当該雄ボディの曲面に沿って湾曲した曲面状とすることが可能である。上記の通り外面が半円筒状又は半円錐台筒状の曲面を有する場合、壁面も半円筒状又は半円錐台筒状の曲面とすることができる。上記の通り外面が複数の曲面を有する場合、一つの収容空間内に設けられた複数の壁面を外面の曲面に各々対応して湾曲した曲面状としても良いし、複数の収容空間の壁面を外面の曲面に各々対応して湾曲した曲面状としてもと良い。上記した何れかの態様の雄ボディの収容空間の壁面のみが絶縁処理され、雄ボディが導電性を有する素材で構成することが可能である。
【００６２】
本発明の雄導体は、少なくとも一つあれば良い。本発明の雄導体は、上記した何れかの態様の雄ボディの収容空間内に配置されており且つ機能部を有し、この機能部が雄通信アンテナ、雄送電アンテナ及び雄受電アンテナの何れか一つである限り任意に設計変更することが可能である。例えば、機能部は、上述した何れかの態様の収容空間の曲面状の壁面又は曲面状に湾曲した雄絶縁体上に設けられた導電ラインであって、当該壁面又は雄絶縁体に沿って湾曲した構成とすることが可能である。又は、機能部は、上述した何れかの態様の収容空間の曲面状の壁面又は曲面状に湾曲した雄絶縁体上の底部に直線状に延びた導電ラインとすることが可能である。すなわち、本発明の雄導体の機能部は湾曲していなくても良い。また、本発明の雄導体は、収容空間に収容されるコイルや端子であっても良い。
【００６３】
本発明の雄絶縁体は省略可能である。本発明の雄絶縁体は、雄導体の数に応じて複数とすることが可能である。本発明の雄絶縁体は、雄導体が複数である場合に一つでも良い。本発明の雄絶縁体は、上記した何れかの態様の雄ボディの収容空間内に配置されており且つ雄ボディの曲面に沿って湾曲している限り任意に設計変更することが可能である。例えば、雄絶縁体は、雄ボディの収容空間内に配置されており且つ雄ボディの曲面に沿って湾曲した絶縁性を有するスペーサ等とすることが可能である。上記した何れかの態様の雄絶縁体は、上記した何れかの態様の雄ボディの収容空間内の壁面上に固着されていても良いし、固着されていなくても良い。
【００６４】
本発明の雄回路は省略可能である。本発明の雄回路は雄導体の数に応じて一又は複数とすることが可能である。本発明の雄基板及び／又は雄制御部は省略可能である。本発明の雄基板及び／又は雄制御部は、一又は複数とすることが可能である。省略される場合、雄回路、雄基板及び／又は雄制御部は、雄コネクタ外に設けられると良い。
【００６５】
本発明の雌ボディは、接続孔と、曲面を有する接続孔の内壁面と、当該雌ボディ内の接続孔の曲面より外側部分に設けられた収容空間とを有している限り任意に設計変更することが可能である。例えば、雌ボディは、円錐台筒状の接続孔と、接続孔の円錐台筒状の曲面である内壁面と、当該雌ボディ内の接続孔の曲面より外側部分に設けられた収容空間とを有する構成とすることが可能である。又は、雌ボディは、砲弾状の接続孔と、接続孔の砲弾状の曲面を有する内壁面と、当該雌ボディ内の接続孔の曲面より外側部分に設けられた収容空間とを有する構成とすることが可能である。又は、雌ボディは、半円筒状又は半円錐台筒状の接続孔と、接続孔の半円筒状又は半円錐台筒状の曲面を有する内壁面と、当該雌ボディ内の接続孔の曲面より外側部分に設けられた収容空間とを有する構成とすることが可能である。又は、雌ボディは、接続孔と、相対する円弧状の一対の曲面を有する接続孔の内壁面と、当該雌ボディ内の接続孔の曲面より外側部分に設けられた少なくとも一つ収容空間とを有する構成とすることが可能である。又は、雌ボディは、第１ボディ及び第１ボディに連通しており且つ当該第１ボディよりも径が小さい第２ボディを有する構成とすることが可能である。この場合、第１ボディ及び／又は第２ボディの接続孔の内壁面が、上記した何れかの態様の曲面を少なくとも一つ有する構成とすることが可能である。雌ボディの収容空間は、接続孔の曲面より外側部分に設けられた構成とすることが可能である。
【００６６】
本発明の雌ボディの収容空間は、上記した何れかの態様の雌ボディの接続孔の曲面より外側部分に複数設けられていても良い。接続孔の内壁面が複数の曲面を有する場合には、収容空間が各曲面の外側部分に設けられていても良い。本発明の雌ボディの収容空間は、雌ボディ内の密閉空間に限定されない。
【００６７】
本発明の雌ボディの収容空間の壁面は省略可能である。本発明の雌ボディの収容空間の壁面は、接続孔の曲面に沿って湾曲していなくても良い。また、本発明の雌ボディの収容空間の壁面は、絶縁性を有し且つ上記した何れかの態様の接続孔の曲面に沿って湾曲した曲面状とすることが可能である。上記の通り接続孔の内壁面が半円筒状又は半円錐台筒状の曲面を有する場合、壁面も半円筒状又は半円錐台筒状の曲面とすることができる。上記の通り接続孔の内壁面が複数の曲面を有する場合、一つの収容空間内に設けられた複数の壁面を接続孔の曲面に各々対応して湾曲した曲面状としても良いし、複数の収容空間の壁面を接続孔の曲面に各々対応して湾曲した曲面状としてもと良い。上記した何れかの態様の雌ボディの収容空間の壁面は、雄ボディの収容空間の壁面に沿って湾曲していても良い。上記した何れかの態様の雌ボディの収容空間の壁面のみが絶縁処理され、雌ボディが導電性を有する素材で構成することが可能である。
【００６８】
本発明の雌導体は、少なくとも一つあれば良い。本発明の雌導体は、上記した何れかの態様の雌ボディの収容空間内に配置されており且つ機能部を有し、この機能部が雌通信アンテナ、雌送電アンテナ及び雌受電アンテナの何れか一つである限り任意に設計変更することが可能である。例えば、機能部は、上述した何れかの態様の収容空間の曲面状の壁面又は曲面状に湾曲した雌絶縁体上に設けられた導電ラインであって、当該壁面又は雌絶縁体に沿って湾曲した構成とすることが可能である。又は、機能部は、上述した何れかの態様の収容空間の曲面状の壁面又は曲面状に湾曲した雌絶縁体上の底部に直線状に延びた導電ラインとすることが可能である。すなわち、本発明の雌導体の機能部は湾曲していなくても良い。また、本発明の雌導体は、収容空間に収容されるコイルや端子であっても良い。
【００６９】
本発明の雌絶縁体は省略可能である。本発明の雌絶縁体は、雌導体の数に応じて複数とすることが可能である。本発明の雌絶縁体は、雌導体が複数である場合に一つでも良い。本発明の雌絶縁体は、上記した何れかの態様の雄ボディの収容空間内に配置されており且つ上記した何れかの態様の接続孔の曲面に沿って湾曲している限り任意に設計変更することが可能である。例えば、雌絶縁体は、雌ボディの収容空間内に配置されており且つ上記した何れかの態様の接続孔の曲面に沿って湾曲した絶縁性を有するスペーサ等とすることが可能である。上記した何れかの態様の雌絶縁体は、上記した何れかの態様の雌ボディの収容空間内の壁面上に固着されていても良いし、固着されていなくても良い。
【００７０】
本発明の雌回路は省略可能である。本発明の雌回路は雌導体の数に応じて一又は複数とすることが可能である。本発明の雌基板及び／又は雌制御部は省略可能である。本発明の雌基板及び／又は雌制御部は、一又は複数とすることが可能である。省略される場合、雌回路、雌基板及び／又は雌制御部は、雌コネクタ外に設けられると良い。
【００７１】
本発明の雄コネクタは、雄シールドケースを更に備えた構成とすることが可能である。この場合、上記した何れかの態様の雄ボディが雄シールドケース内の収容される構成とすると良い。本発明の雌コネクタの接続孔は、雄シールドケースの外形に応じた形状としても良い。本発明の雌コネクタは、雌シールドケースを更に備えた構成とすることが可能である。この場合、上記した何れかの態様の雌ボディが雌シールドケース内の収容される構成とすると良い。
【００７２】
なお、上記実施例における雄コネクタ及び雌コネクタの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００７３】
１００ａ・・・・雄コネクタ
１１０ａ・・・雄ボディ
１１１ａ・・外面
１１１ａ１・曲面
１１２ａ・・収容空間
１１３ａ・・壁面
１２０ａ・・・雄導体
１２１ａ・・機能部
１２２ａ・・接続部
１３０ａ・・・雄回路
１４０ａ・・・雄基板
１５０ａ・・・雄制御部
１６０ａ・・・ケーブル
１００ｂ・・・・雌コネクタ
１１０ｂ・・・雌ボディ
１１１ｂ・・接続孔
１１２ｂ・・内壁面
１１２ｂ１・曲面
１１３ｂ・・収容空間
１１４ｂ・・壁面
１２０ｂ・・・雌導体
１２１ｂ・・機能部
１２２ｂ・・接続部
１３０ｂ・・・雌回路
１４０ｂ・・・雌基板
１５０ｂ・・・雌制御部
１００ａ’・・・雄コネクタ
１７０ａ・・・雄プリント基板
１００ｂ’・・・雌コネクタ
１６０ｂ・・・雌プリント基板
【図１Ａ】
2015216057.tif 000003
【図１Ｂ】
2015216057.tif 000004
【図２Ａ】
2015216057.tif 000005
【図２Ｂ】
2015216057.tif 000006
【図３Ａ】
2015216057.tif 000007
【図３Ｂ】
2015216057.tif 000008
【図４Ａ】
2015216057.tif 000009
【図４Ｂ】
2015216057.tif 000010
【図５Ａ】
2015216057.tif 000011
【図５Ｂ】
2015216057.tif 000012
【図６】
2015216057.tif 000013